(57)【特許請求の範囲】
【請求項１】
デジタル有線テレビジョン放送の信号及び高速デジタルベースバンド信号を送信する送信装置であって、
複数の伝送信号のそれぞれを変調する変調部と、
前記変調部により変調された複数の伝送信号を周波数分割多重し、デジタル有線テレビジョン放送の信号を生成する第１の合成部と、
前記複数の伝送信号を時分割多重し、高速デジタルベースバンド信号を生成するＴＤＭ信号生成部と、
前記ＴＤＭ信号生成部により生成された高速デジタルベースバンド信号に対してフィルタ処理を施し、所定の低域周波数成分の高速デジタルベースバンド信号を抽出する第１のフィルタと、
前記第１のフィルタにより抽出された低域周波数成分の高速デジタルベースバンド信号に対し、前記第１の合成部により生成されたデジタル有線テレビジョン放送の信号の周波数と重複しないように、所定の搬送波を用いて周波数変換または変調する第１の変換部と、
前記第１の合成部により生成されたデジタル有線テレビジョン放送の信号、及び前記第１の変換部により周波数変換または変調された高速デジタルベースバンド信号を合成する第２の合成部と、
前記第２の合成部により合成された電気信号を光信号に変換する第２の変換部と、を備え、
前記第２の変換部により変換された光信号を送信する、ことを特徴とする送信装置。
【請求項２】
請求項１に記載の送信装置において、
前記伝送信号をＭＰＥＧ−２  ＴＳ信号とし、
さらに、前記ＭＰＥＧ−２  ＴＳ信号のシンボルレート、変調方式、周波数、及び外符号による誤り訂正方式を含む物理伝送情報が定義されたＮＩＴ（ネットワーク情報テーブル）を含むＰＳＩ（番組配列情報）及びＳＩ（サービス情報）が格納された記憶部と、
前記記憶部からＰＳＩ及びＳＩを読み出し、前記複数のＭＰＥＧ−２  ＴＳ信号のそれぞれに、前記ＰＳＩ及びＳＩを多重化する多重化部と、を備え、
前記変調部は、前記多重化部により多重化された複数のＭＰＥＧ−２  ＴＳ信号のそれぞれを変調し、
前記ＴＤＭ信号生成部は、前記多重化部により多重化された複数のＭＰＥＧ−２  ＴＳ信号を時分割多重し、高速デジタルベースバンド信号を生成する、ことを特徴とする送信装置。
【請求項３】
デジタル有線テレビジョン放送の信号及び高速デジタルベースバンド信号を送信する送信方法であって、
複数の伝送信号のそれぞれを変調するステップと、
前記変調した複数の伝送信号を周波数分割多重し、デジタル有線テレビジョン放送の信号を生成するステップと、
前記複数の伝送信号を時分割多重し、高速デジタルベースバンド信号を生成するステップと、
前記生成した高速デジタルベースバンド信号に対してフィルタ処理を施し、所定の低域周波数成分の高速デジタルベースバンド信号を抽出するステップと、
前記抽出した低域周波数成分の高速デジタルベースバンド信号に対し、前記生成したデジタル有線テレビジョン放送の信号の周波数と重複しないように、所定の搬送波を用いて周波数変換または変調するステップと、
前記生成したデジタル有線テレビジョン放送の信号、及び前記周波数変換または変調した高速デジタルベースバンド信号を合成するステップと、
前記合成したデジタル有線テレビジョン放送の信号及び高速デジタルベースバンド信号の電気信号を光信号に変換するステップと、
前記光信号を送信するステップと、
を有することを特徴とする送信方法。
【請求項４】
請求項１または２に記載の送信装置から光信号を受信する受信装置であって、
前記光信号を電気信号に変換する第３の変換部と、
前記第３の変換部により変換された電気信号を分配する分配器と、
前記分配器により分配された電気信号に対して所定の低域フィルタ処理を施し、デジタル有線テレビジョン放送の信号を抽出する第２のフィルタと、
前記第２のフィルタにより抽出されたデジタル有線テレビジョン放送の信号を復調する受信機と、
前記分配器により分配された電気信号に対して所定の高域フィルタ処理を施し、第１の高速デジタルベースバンド信号を抽出する第３のフィルタと、
前記第３のフィルタにより抽出された第１の高速デジタルベースバンド信号から搬送波を再生する搬送波再生部と、
前記第３のフィルタにより抽出された第１の高速デジタルベースバンド信号に対し、前記搬送波再生部により再生された搬送波を用いて周波数変換または復調する第４の変換部と、
前記第４の変換部により周波数変換または復調された第２の高速デジタルベースバンド信号からクロックを再生するクロック再生部と、
前記クロック再生部により再生されたクロックを用いて、前記第４の変換部により周波数変換または復調された第２の高速デジタルベースバンド信号のデータを識別し、前記送信装置のＴＤＭ信号生成部により生成された高速デジタルベースバンド信号に対応する信号を生成する識別回路と、
を備えたことを特徴とする受信装置。
【請求項５】
請求項２に記載の送信装置から光信号を受信する受信装置であって、
前記光信号を電気信号に変換する第３の変換部と、
前記第３の変換部により変換された電気信号を分配する分配器と、
前記分配器により分配された電気信号に対して所定の低域フィルタ処理を施し、デジタル有線テレビジョン放送の信号を抽出する第２のフィルタと、
前記第２のフィルタにより抽出されたデジタル有線テレビジョン放送の信号を復調し、前記ＰＳＩ及びＳＩを読み出す受信機と、
前記分配器により分配された電気信号に対して所定の高域フィルタ処理を施し、第１の高速デジタルベースバンド信号を抽出する第３のフィルタと、
前記第３のフィルタにより抽出された第１の高速デジタルベースバンド信号から搬送波を再生する搬送波再生部と、
前記第３のフィルタにより抽出された第１の高速デジタルベースバンド信号に対し、前記搬送波再生部により再生された搬送波を用いて周波数変換または復調する第４の変換部と、
前記第４の変換部により周波数変換または復調された第２の高速デジタルベースバンド信号からクロックを再生するクロック再生部と、
前記クロック再生部により再生されたクロックを用いて、前記第４の変換部により周波数変換または復調された第２の高速デジタルベースバンド信号のデータを識別し、前記送信装置のＴＤＭ信号生成部により生成された高速デジタルベースバンド信号に対応する信号を生成する識別回路と、
前記クロック再生部により再生されたクロックに基づいて、前記識別回路により生成された高速デジタルベースバンド信号から、前記ＰＳＩ及びＳＩを読み出す読み出し部と、
前記受信機により読み出されたＰＳＩ及びＳＩ、または前記読み出し部により読み出されたＰＳＩ及びＳＩから得られる前記複数のＭＰＥＧ−２  ＴＳ信号に関する情報を、当該受信装置の利用者へ提示し、前記利用者による操作に従って、ＭＰＥＧ−２  ＴＳ信号を選択するための制御信号を生成する選択部と、を備え、
前記選択部により生成された制御信号に従って、前記受信機により復調されたデジタル有線テレビジョン放送における複数のＭＰＥＧ−２  ＴＳ信号、及び前記識別回路により識別された高速デジタルベースバンド信号における複数のＭＰＥＧ−２  ＴＳ信号のうちの１つのＭＰＥＧ−２  ＴＳ信号を選択する、ことを特徴とする受信装置。
【請求項６】
請求項４または５に記載の受信装置において、
さらに、前記分配器により分配された電気信号を、前記第３のフィルタに出力するか、または前記クロック再生部及び前記識別回路に出力するかを切り替えるスイッチを備え、
前記スイッチは、予め設定された切り替えにより、当該受信装置が、前記複数の伝送信号が時分割多重されて生成された高速デジタルベースバンド信号であって、前記周波数変換または変調されていない高速デジタルベースバンド信号を受信した場合、前記受信した高速デジタルベースバンド信号を、前記クロック再生部及び前記識別回路に直接出力する、ことを特徴とする受信装置。
【請求項７】
請求項３に記載の送信方法により送信された光信号を受信する受信方法であって、
前記受信した光信号を電気信号に変換するステップと、
前記電気信号を分配するステップと、
前記分配した電気信号に対して所定の低域フィルタ処理を施し、デジタル有線テレビジョン放送の信号を抽出するステップと、
前記分配した電気信号に対して所定の高域フィルタ処理を施し、第１の高速デジタルベースバンド信号を抽出するステップと、
前記抽出した第１の高速デジタルベースバンド信号から搬送波を再生するステップと、
前記抽出した第１の高速デジタルベースバンド信号に対し、前記搬送波を用いて周波数変換または復調するステップと、
前記周波数変換または復調した第２の高速デジタルベースバンド信号からクロックを再生するステップと、
前記クロックを用いて、前記周波数変換または復調した第２の高速デジタルベースバンド信号のデータを識別し、前記送信方法における時分割多重のステップにより生成された高速デジタルベースバンド信号に対応する信号を生成するステップと、
を有することを特徴とする受信方法。
【発明の詳細な説明】
【技術分野】
【０００１】
本発明は、高速デジタルベースバンド信号をデジタル有線テレビジョン放送の信号に重畳して、周波数分割多重伝送するための送信装置、送信方法、受信装置及び受信方法に関するものである。
【背景技術】
【０００２】
従来、複数チャンネルのＭＰＥＧ−２  ＴＳを時分割多重（ＴＤＭ：Time Division Multiplex）し、高速デジタルベースバンド信号により伝送するＴＤＭ伝送方式の研究成果が報告されている（非特許文献１，２を参照）。ＴＤＭ伝送方式は、ＧＥ−ＰＯＮ（Gigabit Ethernet（登録商標）-Passive Optical Network）等の光ファイバー通信システムで実用化されている技術方式との親和性が高く、伝送コストの観点から加入者系の伝送に適している。ＴＤＭ伝送方式は、速度が異なる複数の信号を柔軟に多重することができるため、既存のデジタル有線テレビジョン放送のサービスへ拡張し、スーパーハイビジョン等の大容量コンテンツを含む有線系の映像分配伝送システムへ応用できるものとして期待されている。
【０００３】
ところで、公衆によって直接受信されることを目的とする電気通信の送信信号には、例えば、（社）日本ＣＡＴＶ技術協会による標準規格等で規定されているデジタル有線テレビジョン放送の信号がある。デジタル有線テレビジョン放送のシステムは、複数チャンネルのＭＰＥＧ−２  ＴＳ信号を周波数分割多重（ＦＤＭ：Frequency Division Multiplex）し、デジタル有線テレビジョン放送の信号をＦＤＭ伝送方式にて伝送する。このデジタル有線テレビジョン放送のシステムの運用を継続しながら、高速デジタルベースバンド信号を活用した新たなサービスを追加する場合、または、デジタル有線テレビジョン放送の信号と同じ内容のサービスを高速デジタルベースバンド信号により伝送する場合には、デジタル有線テレビジョン放送の信号を伝送するシステムと、高速デジタルベースバンド信号を伝送するシステムとを、同一のサービスエリアで併用することが想定される。両システムの併用を実現するためには、互いの信号が干渉することなく伝送されることが必要である。
【０００４】
既存のシステムと新たなシステムとを併用するために光ファイバー伝送システムを用いる場合、波長分割多重（ＷＤＭ：Wavelength Division Multiplex）伝送する方式の利用が考えられる。しかしながら、ＷＤＭ伝送方式を利用する場合には、新たなサービスを併用しないときであっても、サービスエリアの全ての受信装置に、波長選択フィルタの追加設置が必要となる。このため、既存のシステムを変更するための人的負荷及びコストが大きな課題となる。
【０００５】
一方、既存のシステムと新たなシステムとを併用するために、サービス加入者の受信装置との間に敷設した複数の光ファイバーを用いる方法も考えられる。しかしながら、複数の光ファイバーを予め敷設していない場合、敷設のための追加工事が必要となる。
【先行技術文献】
【非特許文献】
【０００６】
【非特許文献１】倉掛他、「イーサーネット（登録商標）フレームによるデジタル放送の再送信方式の一検討」、2005年電子情報通信学会総合大会講演論文集、通信２、B-8-18、p.273
【非特許文献２】日下部他、「多チャンネルＭＰＥＧ−２  ＴＳ信号のベースバンド多重伝送の検討」、2005年映像情報メディア学会年次大会講演予稿集、12-3、2005
【発明の概要】
【発明が解決しようとする課題】
【０００７】
前述のＴＤＭ伝送方式を用いて大容量コンテンツを配信したり、既存のサービスを拡張したりするためには、高速デジタルベースバンド信号をデジタル有線テレビジョン放送の信号に重畳して周波数分割多重伝送するための送信装置及び受信装置が必要となる。
【０００８】
そこで、本発明は前記課題を解決するためになされたものであり、その目的は、高速デジタルベースバンド信号をデジタル有線テレビジョン放送の信号に重畳して周波数分割多重伝送する際に、これらの信号が互いに干渉することなく経済的な手段にて伝送可能な送信装置、送信方法、受信装置及び受信方法を提供することにある。
【課題を解決するための手段】
【０００９】
前記課題を解決するため、本発明による請求項１の送信装置は、デジタル有線テレビジョン放送の信号及び高速デジタルベースバンド信号を送信する送信装置であって、複数の伝送信号のそれぞれを変調する変調部と、前記変調部により変調された複数の伝送信号を周波数分割多重し、デジタル有線テレビジョン放送の信号を生成する第１の合成部と、前記複数の伝送信号を時分割多重し、高速デジタルベースバンド信号を生成するＴＤＭ信号生成部と、前記ＴＤＭ信号生成部により生成された高速デジタルベースバンド信号に対してフィルタ処理を施し、所定の低域周波数成分の高速デジタルベースバンド信号を抽出する第１のフィルタと、前記第１のフィルタにより抽出された低域周波数成分の高速デジタルベースバンド信号に対し、前記第１の合成部により生成されたデジタル有線テレビジョン放送の信号の周波数と重複しないように、所定の搬送波を用いて周波数変換または変調する第１の変換部と、前記第１の合成部により生成されたデジタル有線テレビジョン放送の信号、及び前記第１の変換部により周波数変換または変調された高速デジタルベースバンド信号を合成する第２の合成部と、前記第２の合成部により合成された電気信号を光信号に変換する第２の変換部と、を備え、前記第２の変換部により変換された光信号を送信する、ことを特徴とする。
【００１０】
また、本発明による請求項２の送信装置は、請求項１に記載の送信装置において、前記伝送信号をＭＰＥＧ−２  ＴＳ信号とし、さらに、前記ＭＰＥＧ−２  ＴＳ信号のシンボルレート、変調方式、周波数、及び外符号による誤り訂正方式を含む物理伝送情報が定義されたＮＩＴ（ネットワーク情報テーブル）を含むＰＳＩ（番組配列情報）及びＳＩ（サービス情報）が格納された記憶部と、前記記憶部からＰＳＩ及びＳＩを読み出し、前記複数のＭＰＥＧ−２  ＴＳ信号のそれぞれに、前記ＰＳＩ及びＳＩを多重化する多重化部と、を備え、前記変調部が、前記多重化部により多重化された複数のＭＰＥＧ−２  ＴＳ信号のそれぞれを変調し、前記ＴＤＭ信号生成部が、前記多重化部により多重化された複数のＭＰＥＧ−２  ＴＳ信号を時分割多重し、高速デジタルベースバンド信号を生成する、ことを特徴とする。
【００１１】
さらに、本発明による請求項３の送信方法は、デジタル有線テレビジョン放送の信号及び高速デジタルベースバンド信号を送信する送信方法であって、複数の伝送信号のそれぞれを変調するステップと、前記変調した複数の伝送信号を周波数分割多重し、デジタル有線テレビジョン放送の信号を生成するステップと、前記複数の伝送信号を時分割多重し、高速デジタルベースバンド信号を生成するステップと、前記生成した高速デジタルベースバンド信号に対してフィルタ処理を施し、所定の低域周波数成分の高速デジタルベースバンド信号を抽出するステップと、前記抽出した低域周波数成分の高速デジタルベースバンド信号に対し、前記生成したデジタル有線テレビジョン放送の信号の周波数と重複しないように、所定の搬送波を用いて周波数変換または変調するステップと、前記生成したデジタル有線テレビジョン放送の信号、及び前記周波数変換または変調した高速デジタルベースバンド信号を合成するステップと、前記合成したデジタル有線テレビジョン放送の信号及び高速デジタルベースバンド信号の電気信号を光信号に変換するステップと、前記光信号を送信するステップと、を有することを特徴とする。
【００１２】
さらに、本発明による請求項４の受信装置は、請求項１または２に記載の送信装置から光信号を受信する受信装置であって、前記光信号を電気信号に変換する第３の変換部と、前記第３の変換部により変換された電気信号を分配する分配器と、前記分配器により分配された電気信号に対して所定の低域フィルタ処理を施し、デジタル有線テレビジョン放送の信号を抽出する第２のフィルタと、前記第２のフィルタにより抽出されたデジタル有線テレビジョン放送の信号を復調する受信機と、前記分配器により分配された電気信号に対して所定の高域フィルタ処理を施し、第１の高速デジタルベースバンド信号を抽出する第３のフィルタと、前記第３のフィルタにより抽出された第１の高速デジタルベースバンド信号から搬送波を再生する搬送波再生部と、前記第３のフィルタにより抽出された第１の高速デジタルベースバンド信号に対し、前記搬送波再生部により再生された搬送波を用いて周波数変換または復調する第４の変換部と、前記第４の変換部により周波数変換または復調された第２の高速デジタルベースバンド信号からクロックを再生するクロック再生部と、前記クロック再生部により再生されたクロックを用いて、前記第４の変換部により周波数変換または復調された第２の高速デジタルベースバンド信号のデータを識別し、前記送信装置のＴＤＭ信号生成部により生成された高速デジタルベースバンド信号に対応する信号を生成する識別回路と、を備えたことを特徴とする。
【００１３】
また、本発明による請求項５の受信装置は、請求項２に記載の送信装置から光信号を受信する受信装置であって、前記光信号を電気信号に変換する第３の変換部と、前記第３の変換部により変換された電気信号を分配する分配器と、前記分配器により分配された電気信号に対して所定の低域フィルタ処理を施し、デジタル有線テレビジョン放送の信号を抽出する第２のフィルタと、前記第２のフィルタにより抽出されたデジタル有線テレビジョン放送の信号を復調し、前記ＰＳＩ及びＳＩを読み出す受信機と、前記分配器により分配された電気信号に対して所定の高域フィルタ処理を施し、第１の高速デジタルベースバンド信号を抽出する第３のフィルタと、前記第３のフィルタにより抽出された第１の高速デジタルベースバンド信号から搬送波を再生する搬送波再生部と、前記第３のフィルタにより抽出された第１の高速デジタルベースバンド信号に対し、前記搬送波再生部により再生された搬送波を用いて周波数変換または復調する第４の変換部と、前記第４の変換部により周波数変換または復調された第２の高速デジタルベースバンド信号からクロックを再生するクロック再生部と、前記クロック再生部により再生されたクロックを用いて、前記第４の変換部により周波数変換または復調された第２の高速デジタルベースバンド信号のデータを識別し、前記送信装置のＴＤＭ信号生成部により生成された高速デジタルベースバンド信号に対応する信号を生成する識別回路と、前記クロック再生部により再生されたクロックに基づいて、前記識別回路により生成された高速デジタルベースバンド信号から、前記ＰＳＩ及びＳＩを読み出す読み出し部と、前記受信機により読み出されたＰＳＩ及びＳＩ、または前記読み出し部により読み出されたＰＳＩ及びＳＩから得られる前記複数のＭＰＥＧ−２  ＴＳ信号に関する情報を、当該受信装置の利用者へ提示し、前記利用者による操作に従って、ＭＰＥＧ−２  ＴＳ信号を選択するための制御信号を生成する選択部と、を備え、前記選択部により生成された制御信号に従って、前記受信機により復調されたデジタル有線テレビジョン放送における複数のＭＰＥＧ−２  ＴＳ信号、及び前記識別回路により識別された高速デジタルベースバンド信号における複数のＭＰＥＧ−２  ＴＳ信号のうちの１つのＭＰＥＧ−２  ＴＳ信号を選択する、ことを特徴とする。
【００１４】
また、本発明による請求項６の受信装置は、請求項４または５に記載の受信装置において、さらに、前記分配器により分配された電気信号を、前記第３のフィルタに出力するか、または前記クロック再生部及び前記識別回路に出力するかを切り替えるスイッチを備え、前記スイッチは、予め設定された切り替えにより、当該受信装置が、前記複数の伝送信号が時分割多重されて生成された高速デジタルベースバンド信号であって、前記周波数変換または変調されていない高速デジタルベースバンド信号を受信した場合、前記受信した高速デジタルベースバンド信号を、前記クロック再生部及び前記識別回路に直接出力する、ことを特徴とする。
【００１５】
さらに、本発明による請求項７の受信方法は、請求項３に記載の送信方法により送信された光信号を受信する受信方法であって、前記受信した光信号を電気信号に変換するステップと、前記電気信号を分配するステップと、前記分配した電気信号に対して所定の低域フィルタ処理を施し、デジタル有線テレビジョン放送の信号を抽出するステップと、前記分配した電気信号に対して所定の高域フィルタ処理を施し、第１の高速デジタルベースバンド信号を抽出するステップと、前記抽出した第１の高速デジタルベースバンド信号から搬送波を再生するステップと、前記抽出した第１の高速デジタルベースバンド信号に対し、前記搬送波を用いて周波数変換または復調するステップと、前記周波数変換または復調した第２の高速デジタルベースバンド信号からクロックを再生するステップと、前記クロックを用いて、前記周波数変換または復調した第２の高速デジタルベースバンド信号のデータを識別し、前記送信方法における時分割多重のステップにより生成された高速デジタルベースバンド信号に対応する信号を生成するステップと、を有することを特徴とする。
【発明の効果】
【００１６】
以上のように、本発明によれば、高速デジタルベースバンド信号をデジタル有線テレビジョン放送の信号に重畳して周波数分割多重伝送する際に、これらの信号の周波数が重ならないように、高速デジタルベースバンド信号の占有周波数帯域をずらすようにした。これにより、これらの信号は互いに干渉することがない。また、波長分割多重を行うＷＤＭ伝送方式を用いることなく、デジタル有線テレビジョン放送の信号及び高速デジタルベースバンド信号を伝送するようにしたから、受信装置に波長選択フィルタの設置が不要になる。さらに、複数の光ファイバーを用いる必要がないから、経済的な手段により伝送を実現することができる。
【図面の簡単な説明】
【００１７】
【図１】実施例１の送信装置の構成を示すブロック図である。
【図２】実施例２の送信装置の構成を示すブロック図である。
【図３】実施例１の送信装置の処理を示すフローチャートである。
【図４】実施例１，２の送信装置における信号のスペクトラムを示す図である。
【図５】受信装置の構成を示すブロック図である。
【図６】受信装置の処理を示すフローチャートである。
【図７】受信装置による高速デジタルベースバンド信号再生処理及びＴＳ選択処理の詳細を示すフローチャートである。
【図８】受信装置における信号のスペクトラムを示す図である。
【図９】ケーブル分配システム記述子を拡張する手法を用いる場合のケーブル分配システム記述子を説明する図である。
【図１０】新たな記述子を導入する手法を用いる場合の高速ＴＤＭケーブル分配システム記述子を説明する図である。
【発明を実施するための形態】
【００１８】
以下、本発明を実施するための形態について図面を用いて詳細に説明する。本発明の実施形態では、高速デジタルベースバンド信号が周波数変換された信号または変調された信号を、デジタル有線テレビジョン放送の信号と周波数領域で重複しないように配置することにより、これらの信号を互いに干渉させないで伝送する。また、高速デジタルベースバンド信号をデジタル有線テレビジョン放送の信号に重畳した合成信号を、送信装置から光ファイバーの伝送路を介して受信装置へ伝送する場合に、１つまたは２つの光源（例えばレーザーダイオード）かつ１本の光ファイバーにて伝送する。これにより、多数の光源を用いて波長分割多重伝送を行うＷＤＭ伝送方式、または複数の光ファイバーを用いて空間多重伝送を行う方式に比べて、経済的な手段にて伝送が可能となる。
【００１９】
〔送信装置〕
まず、本発明の実施形態による送信装置について説明する。以下、実施例１は、デジタル有線テレビジョン放送の信号に高速デジタルベースバンド信号を周波数分割多重し、１つのＬＤ（レーザーダイオード）で伝送する送信装置の例である。実施例２は、デジタル有線テレビジョン放送の信号に用いる第１のＬＤ、及び高速デジタルベースバンド信号に用いる第２のＬＤにより、デジタル有線テレビジョン放送の信号に高速デジタルベースバンド信号を周波数分割多重して伝送する送信装置の例である。実施例１，２共に、既存のデジタル有線テレビジョン放送の信号を伝送する光ファイバーの伝送路を用いて、デジタル有線テレビジョン放送の１つの搬送波による信号では伝送できない高速デジタルベースバンド信号を伝送するものである。例えば１．２５Ｇｂｐｓの信号、１０Ｇｂｐｓを超える信号は、デジタル有線テレビジョン放送の１つの搬送波による信号（６４ＱＡＭで約３０Ｍｂｐｓ、２５６ＱＡＭで約４０Ｍｂｐｓ）により伝送することができない。
【００２０】
（実施例１）
まず、実施例１の送信装置について説明する。図１は、実施例１の送信装置の構成を示すブロック図であり、図３は、実施例１の送信装置の処理を示すフローチャートであり、図４は、実施例１の送信装置における信号のスペクトラムを示す図である。図４に示すスペクトラムは、後述する実施例２についても同様である。
【００２１】
この送信装置１は、複数の（Ｎ個の）多重化部１０、記憶部１１、複数の多重化部１０に対応する複数の（Ｎ個の）変調部１２、合成部１３、ＴＤＭ信号生成部１４、ＬＰＦ（Low Pass Filter：ローパスフィルタ）１６、周波数変換部１７、合成部２０及びＬＤ２１を備えている。ここで、Ｎは１以上の整数とする。
【００２２】
複数の多重化部１０は、デジタル放送の受信信号及び自主放送を含む多チャンネル（Ｎチャンネル）のＭＰＥＧ−２  ＴＳ信号（多チャンネルの伝送信号）を入力すると共に、記憶部１１から番組配列情報（Program Specific Information：以下、「ＰＳＩ」という。）及びＰＳＩを補完するサービス情報（Service Information：以下、「ＳＩ」という。）を読み出し、ＭＰＥＧ−２  ＴＳ信号にＰＳＩ及びＳＩ（以下、「ＰＳＩ／ＳＩ」という。）を多重化する（ステップＳ３０１）。そして、それぞれの多重化部１０は、ＰＳＩ／ＳＩが多重化されたＭＰＥＧ−２  ＴＳ信号を、対応する変調部１２に出力すると共に、ＴＤＭ信号生成部１４に出力する。このように、ＰＳＩ／ＳＩが多重化された複数のＭＰＥＧ−２  ＴＳ信号は、デジタル有線テレビジョン放送の信号及び高速デジタルベースバンド信号にてそれぞれ伝送するために、２分配される。
【００２３】
尚、複数の多重化部１０が入力するそれぞれのＭＰＥＧ−２  ＴＳ信号は、論理的に構成されるネットワーク（地上放送、衛星放送、ケーブルテレビ）のいずれかに属している。また、複数の多重化部１０が出力するそれぞれのＭＰＥＧ−２  ＴＳ信号のうち、デジタル有線テレビジョン放送の信号にて伝送する信号が、対応する変調部１２に入力され、高速デジタルベースバンド信号にて伝送する信号が、ＴＤＭ信号生成部１４に入力される。
【００２４】
記憶部１１には、ＰＳＩ／ＳＩが予め格納されている。記憶部１１に格納されたＰＳＩ／ＳＩには、複数の多重化部１０が入力する全てのＭＰＥＧ−２  ＴＳ信号に関する番組配列情報及びサービス情報が含まれており、複数の多重化部１０により同一のＰＳＩ／ＳＩが読み出される。これにより、後述する受信装置３は、ＰＳＩ／ＳＩが多重化された１つのＭＰＥＧ−２  ＴＳ信号からＰＳＩ／ＳＩを分離することで、そのＰＳＩ／ＳＩから全てのＭＰＥＧ−２  ＴＳ信号の番組配列情報及びサービス情報を把握することができる。また、ＳＩに含まれるＮＩＴ（Network Information Table：ネットワーク情報テーブル）のケーブル分配システム記述子には、それぞれのＭＰＥＧ−２  ＴＳ信号を伝送する際の搬送波の仕様に関する物理伝送情報（シンボルレート、変調方式、周波数、及び外符号による誤り訂正方式）が含まれている。ＰＳＩ／ＳＩの詳細については後述する。
【００２５】
複数の変調部１２は、対応する多重化部１０からＭＰＥＧ−２  ＴＳ信号をそれぞれ入力し、ＭＰＥＧ−２  ＴＳ信号に対し、１チャンネルの伝送帯域幅が６ＭＨｚの６４ＱＡＭまたは２５６ＱＡＭで変調し、変調信号を合成部１３にそれぞれ出力する（ステップＳ３０２）。変調部１２における６４ＱＡＭまたは２５６ＱＡＭの変調方式、及び伝送帯域の周波数（中心周波数）は、ＳＩに含まれる変調方式及び周波数にそれぞれ対応して設定される。
【００２６】
合成部１３は、複数の変調部１２から変調信号を入力し、入力した複数の変調信号を周波数分割多重して合成し（ステップＳ３０３）、合成信号をデジタル有線テレビジョン放送の信号として合成部２０に出力する（ステップＳ３０４）。
【００２７】
このデジタル有線テレビジョン放送の信号は、図４（１）に示すように、一例として伝送帯域が９０〜７７０ＭＨｚのデジタルケーブルテレビの信号であり、６ＭＨｚ毎に１チャンネルが割り当てられた約１１０チャンネルの信号により構成される。１チャンネル当たりの伝送速度は、６ＭＨｚ伝送帯域の６４ＱＡＭで変調した場合、約３０Ｍｂｐｓであり、２５６ＱＡＭで変調した場合、約４０Ｍｂｐｓである。本例では、デジタル放送の変調方式及びＰＳＩ／ＳＩを変更しないで周波数分割多重伝送する信号（パススルー形式の信号）は含んでいない。
【００２８】
尚、デジタルケーブルテレビの信号の１搬送波の伝送容量を超えるＭＰＥＧ−２  ＴＳ信号、例えばスーパーハイビジョンのようなコンテンツについては、複数の搬送波を用いて分割伝送することができる。詳細については、“日下部他、「ケーブルテレビへの大容量TS伝送の導入を目指した分割・合成方式の提案」、２０１０年映像情報メディア学会年次大会講演予稿集、15-1、2010”を参照されたい。
【００２９】
ＴＤＭ信号生成部１４は、マルチプレクサ（ｍｕｘ）１５を備えている。ＴＤＭ信号生成部１４は、複数の多重化部１０から複数のＭＰＥＧ−２  ＴＳ信号を入力し、マルチプレクサ１５において複数のＭＰＥＧ−２  ＴＳ信号を時分割多重することで（ステップＳ３０５）、複数のＭＰＥＧ−２  ＴＳ信号からなる１つのストリームを生成し、このストリームを高速デジタルベースバンド信号としてＬＰＦ１６に出力する（ステップＳ３０６）。
【００３０】
例えば、複数のＭＰＥＧ−２  ＴＳ信号を時分割多重する手段としては、ＩＴＵ−Ｔ  Ｊ．１８３で規定されたＴＳＭＦ（Transport Streams Multiplexing Frame）を利用することができる。ＴＳＭＦ形式のフレームでは、ＭＰＥＧ−２  ＴＳパケットを１スロットとし、５３スロットを周期とする多重フレームを構成する。ＴＤＭ信号生成部１４は、ヘッダー用に割り当てた先頭の１スロットに続く５２スロットに、複数のＭＰＥＧ−２  ＴＳ信号を配置する。各ＭＰＥＧ−２  ＴＳ信号に対するスロット数の割り当ては、入力するＭＰＥＧ−２  ＴＳ信号のレートに合わせて配分する。複数のＭＰＥＧ−２  ＴＳを識別するための情報（多重フレーム内で各ＴＳに割り当てるスロットの位置）は、ヘッダーに記述しておくことにより、後述する受信装置３においてＴＳＭＦから各ＭＰＥＧ−２  ＴＳを分離することができる。
【００３１】
ＴＤＭ信号生成部１４により出力される高速デジタルベースバンド信号は、一例としてＩＥＥＥ規格８０２．３ａｈに準拠するＧＥ−ＰＯＮ（Gigabit Ethernet（登録商標）-Passive Optical Network）のデータ伝送（１．２５Ｇｂｉｔ／ｓ）の信号であり、図４（２）に示すように、伝送帯域は広がりのあるスペクトラムを有する。
【００３２】
図１に戻って、ＬＰＦ１６は、ＴＤＭ信号生成部１４から高速デジタルベースバンド信号を入力し、低域フィルタによるフィルタ処理を施して帯域を制限することにより、データを復調するために必要な帯域を含む低域周波数成分を抽出し、低域周波数成分の高速デジタルベースバンド信号を周波数変換部１７に出力する（ステップＳ３０７）。ＬＰＦ１６により出力される高速デジタルベースバンド信号は、図４（３）に示すように、図４（２）に示した広がりのあるスペクトラムを有する高速デジタルベースバンド信号のうち、低域周波数成分が抽出された信号である。これにより、後述する受信装置３は、この低域周波数成分の信号から得られるアイパターンにより、シンボルを識別することができ、高速デジタルベースバンド信号を再生することができる。
【００３３】
ＴＤＭ信号生成部１４により出力される高速デジタルベースバンド信号のスペクトラムは、図４（２）に示したように広がりがあるため、周波数変換部１７がＬＰＦ１６を介することなくこの信号をそのまま周波数変換すると、デジタル有線テレビジョン放送の信号の周波数帯域（９０〜７７０ＭＨｚ）と重なってしまうだけでなく、占有周波数帯が広くなり、伝送帯域の利用効率が悪くなってしまう。そのため、周波数変換部１７の前段に備えたＬＰＦ１６により、データを復調するために必要な帯域を含む低域周波数成分が抽出され、図４（３）に示した高速デジタルベースバンド信号のスペクトラムが得られる。これにより、占有周波数帯を小さくし、伝送帯域の利用効率を向上させることができる。
【００３４】
図１に戻って、周波数変換部１７は、局部発振器１８及び乗算器１９を備えており、ＬＰＦ１６から低域周波数成分の高速デジタルベースバンド信号を入力し、所定の搬送波（周波数ｆconvの搬送波、後述する図４（４）を参照）の信号を乗算することにより、低域周波数成分の高速デジタルベースバンド信号の周波数を変換し、周波数変換した高速デジタルベースバンド信号を合成部２０に出力する（ステップＳ３０８）。具体的には、周波数変換部１７の局部発振器１８は、所定の周波数の搬送波を生成する。乗算器１９は、ダブルバランストミキサー等であり、ＬＰＦ１６からの低域周波数成分の高速デジタルベースバンド信号である中間周波数信号に、局部発振器１８からの搬送波の信号を乗算し、低域周波数成分の周波数を変換する。この場合、周波数変換部１７は、デジタル有線テレビジョン放送の信号の周波数との重複を回避するように、低域周波数成分の高速デジタルベースバンド信号の周波数を変換し、デジタル有線テレビジョン放送の信号が存在しない周波数帯域であって、デジタル有線テレビジョン放送の信号の周波数よりも高い周波数帯域に、高速デジタルベースバンド信号の周波数を配置する。尚、周波数変換部１７における方式は、ＡＳＫ（周波数変換）であり、ＳＩのＮＩＴに含まれる記述子において変調方式に設定されている。記述子の詳細については後述する。
【００３５】
合成部２０は、合成部１３からデジタル有線テレビジョン放送の信号を入力すると共に、周波数変換部１７から周波数変換された高速デジタルベースバンド信号を入力し、デジタル有線テレビジョン放送の信号及び高速デジタルベースバンド信号を周波数分割多重して合成し、合成信号をＬＤ２１に出力する（ステップＳ３０９）。
【００３６】
ＬＤ２１は、電気信号を光信号に変換する変換器であり、合成部２０からデジタル有線テレビジョン放送の信号及び高速デジタルベースバンド信号の合成信号を入力し、レーザーダイオードを駆動して電気信号を光信号に変換し（ステップＳ３１０）、光信号を１本の光ファイバーの伝送路４へ送信する（ステップＳ３１１）。このように、デジタル有線テレビジョン放送の信号及び高速デジタルベースバンド信号の合成信号は、光信号として、送信装置１から伝送路４を介して、後述する受信装置３へ送信される。
【００３７】
送信装置１から光信号として送信される合成信号は、図４（４）に示すように、伝送帯域が９０〜７７０ＭＨｚのデジタル有線テレビジョン放送の信号と、周波数変換部１７により周波数変換された中心周波数ｆconvの高速デジタルベースバンド信号とが周波数分割多重された信号である。デジタル有線テレビジョン放送の信号と高速デジタルベースバンド信号とは、周波数帯域において重複していない。
【００３８】
（ＰＳＩ／ＳＩの構成）
次に、記憶部１１に格納されたＰＳＩ／ＳＩについて説明する。ＰＳＩ／ＳＩには、送信装置１が処理を行う全てのＭＰＥＧ−２  ＴＳ信号に関する情報（デジタル有線テレビジョン放送の信号が生成される系統（以下、「ＦＤＭ系」という。）にて処理が行われるＭＰＥＧ−２  ＴＳ信号、及び高速デジタルベースバンド信号が生成される系統（以下、「ＴＤＭ系」という。）にて処理が行われるＭＰＥＧ−２  ＴＳ信号に関する情報）が含まれる。前述のとおり、記憶部１１に格納されたＰＳＩ／ＳＩは、複数の多重化部１０によって読み出され、ＭＰＥＧ−２  ＴＳ信号毎にそれぞれ多重化される。ＰＳＩは、ＭＰＥＧ−２によって定義され、放送番組に関するパケットの識別及び指定についてのＰＡＴ（Program Association Table：プログラムアソシエーションテーブル）及びＰＭＴ（Program Map Table：プログラムマップテーブル）等により構成される番組配列情報である。ＳＩは、番組の名称、放送日時、内容説明等に関するＥＩＴ（Event Information Table：イベント情報テーブル）、伝送路の情報と放送番組とを関連付けるＮＩＴ（Network Information Table：ネットワーク情報テーブル）等により構成されるサービス情報である。尚、ＰＳＩ／ＳＩの詳細については、“「デジタル有線テレビジョン放送、番組配列情報の構成及び識別子の運用基準」、JCETA  STD-003、（社）日本ＣＡＴＶ技術協会”を参照されたい。
【００３９】
本発明の実施例１及び後述する実施例２では、ＭＰＥＧ−２  ＴＳ信号をＦＤＭ系及びＴＤＭ系にて伝送する際の、搬送波の仕様に関する物理伝送情報（シンボルレート（クロック速度）、変調方式、周波数、及び外符号による誤り訂正方式）が、高速デジタルベースバンド信号に適用するように、ＳＩのＮＩＴに予め設定される。ＮＩＴを伝送するのは、後述する受信装置３が、全てのＭＰＥＧ−２  ＴＳ信号の属する論理上のネットワーク（地上放送、衛星放送、ケーブルテレビ）を識別し、それぞれのネットワークで提供されるサービスを選択することができるようにするためである。送信装置１は、ＦＤＭ系及びＴＤＭ系における全てのＭＰＥＧ−２  ＴＳ信号に対し、ＴＳの一覧及び選局に関する情報を含む記述子が定義されたＮＩＴを多重化し、後述する受信装置３へ伝送する。また、ＳＩのＮＩＴに、全てのＭＰＥＧ−２  ＴＳ信号に対して搬送波の仕様に関する物理伝送情報（シンボルレート（クロック速度）、変調方式、周波数、及び外符号による誤り訂正方式）等が設定されるのは、後述する受信装置３がこの情報を用いて元のＭＰＥＧ−２  ＴＳ信号を再生するためである。
【００４０】
ＳＩのＮＩＴに、本発明の実施例１を適用可能な、搬送波の仕様に関する物理伝送情報（シンボルレート（クロック速度）、変調方式、周波数、及び外符号による誤り訂正方式）を設定する手法には、以下に示す２つがある。第１の手法は、（ａ）ケーブル分配システム記述子を拡張するものであり、第２の手法は、（ｂ）新たな記述子を導入するものである。尚、（ａ）のケーブル分配システム記述子及び（ｂ）の新たな記述子は、ＳＩのＮＩＴに含まれる情報である。
【００４１】
（ａ）ケーブル分配システム記述子を拡張する手法
図９は、ＮＩＴに含めるケーブル分配システム記述子を拡張する手法を用いる場合において、ケーブル分配システム記述子を説明する図である。ケーブル分配システム記述子は、ケーブル伝送路の物理的条件が示されており、図９（１）に示すように、ケーブル分配システム記述子であることを識別するための識別タグ（Descriptor_tag）、識別子長（Descriptor_length）、周波数（Frequency）、多重フレーム形式番号（Frame_type）、外符号による誤り訂正方式（FEC_outer）、変調方式（Modulation）、シンボルレート（Symbol_rate）、内符号による誤り訂正方式（FEC_inner）等により構成される。それぞれの構成要素のビット数及びビット列表記は図９に示すとおりである。このようなケーブル分配システム記述子がＭＰＥＧ−２  ＴＳ信号毎に設定される。尚、ケーブル分配システム記述子の詳細については、ＰＳＩ／ＳＩの詳細を説明する前述の“「デジタル有線テレビジョン放送、番組配列情報の構成及び識別子の運用基準」、JCETA  STD-003、（社）日本ＣＡＴＶ技術協会”に記載されており、標準規格に定められている。また、ＰＳＩ／ＳＩの各記述子には、記述子を識別するための識別タグが設けられている。
【００４２】
本発明の実施例１及び後述する実施例２では、標準規格で定めるケーブル分配システム記述子のうち、周波数、外符号による誤り訂正方式（ＦＥＣ外符号）、変調方式及びシンボルレートを拡張する。周波数については、標準規格で定めるビット数３２ビットを４０ビットに拡張する。周波数のビット数を４０ビットとすることにより、４ビットＢＣＤコードで１０桁になり、第１〜６桁を整数とし第７〜１０桁を小数点とした××××××．××××ＭＨｚの周波数を表すことができ、高速デジタルベースバンド信号にて伝送する場合の１０Ｇｂｉｔ／ｓを超える伝送方式にも対応することができる。
【００４３】
また、外符号による誤り訂正方式については、図９（２）に示すように、データが「００１１」のときにＦＥＣ外符号がＲＳ（２５５，２３９）であることを示す情報を追加する。ＲＳ（２５５，２３９）のＦＥＣ外符号は、図１に示したＴＤＭ信号生成部１４にて誤り訂正処理が行われる場合の符号であり、このＦＥＣ外符号を追加することにより、ＭＰＥＧ−２  ＴＳ信号がＴＤＭ信号生成部１４にて誤り訂正処理される際のＦＥＣ外符号の種類を設定することができる。例えば、ＧＥ−ＰＯＮの方式に適用することができる。尚、データが「００１０」のときのＲＳ（２０４，１８８）のＦＥＣ外符号は、図１に示した変調部１２にて誤り訂正処理が行われる場合の符号である。外符号の誤り訂正処理を行わない場合は、データ「０００１」が設定される。
【００４４】
また、変調方式については、図９（３）に示すように、データが「０ｘ１０」のとき変調方式がベースバンド（伝送するデジタル有線テレビジョン放送の信号が存在せず、高速デジタルベースバンド信号に対して周波数変換または変調を行わない場合）であることを示し、データが「０ｘ１１」のとき変調方式がＡＳＫ（周波数変換）であることを示し、データが「０ｘ１２」のとき変調方式がＢＰＳＫであることを示し、データが「０ｘ１６」のとき変調方式がＦＳＫであることを示す。これらの情報は、図１に示した周波数変換部１７にて周波数変換または２値変調（変調については後述する）が行われる場合、及び、周波数変換も２値変調も行われない場合を示している。これらの情報を追加することにより、ＭＰＥＧ−２  ＴＳ信号を変調せず２値のベースバンド信号として伝送する場合、または周波数変換部１７にて周波数変換等が行われる場合の変調方式の種類を設定することができる。
【００４５】
また、シンボルレートについては、標準規格で定めるビット数２８ビットを３６ビットに拡張する。シンボルレートを３６ビットとすることにより、４ビットＢＣＤコードで９桁になり、第１〜５桁を整数とし第６〜９桁を小数点とした×××××．××××Ｍsymbol／ｓ単位のシンボルレートを表すことができる。
【００４６】
このように、拡張されたケーブル分配システム記述子を含むＮＩＴ等のＰＳＩ／ＳＩは、図１に示した複数の多重化部１０によって読み出され、ＭＰＥＧ−２  ＴＳ信号毎にそれぞれ多重化され、後述する受信装置３へ伝送される。これにより、デジタル有線テレビジョン放送の信号では伝送できない１．２５Ｇｂｐｓの信号、１０Ｇｂｐｓを超える信号等を伝送することができる。
【００４７】
（ｂ）新たな記述子を導入する手法
図１０は、新たな記述子として高速ＴＤＭケーブル分配システム記述子を導入する手法を用いる場合において、高速ＴＤＭケーブル分配システム記述子を説明する図である。図１０（１）に示すように、新たな高速ＴＤＭケーブル分配システム記述子は、高速ＴＤＭケーブル分配システム記述子であることを識別するための識別タグ（Descriptor_tag）、識別子長（Descriptor_length）、周波数（Frequency）、多重フレーム形式番号（Frame_type）、外符号による誤り訂正方式（FEC_outer）、変調方式（Modulation）、シンボルレート（Symbol_rate）等により構成される。それぞれの構成要素のビット数及びビット列表記は図１０に示すとおりである。このような高速ＴＤＭケーブル分配システム記述子がＭＰＥＧ−２  ＴＳ信号毎に設定される。
【００４８】
図１０（１）に示すように、新たな高速ＴＤＭケーブル分配システム記述子には、周波数、外符号による誤り訂正方式、変調方式及びシンボルレートが含まれる。これらの情報については、（ａ）ケーブル分配システム記述子を拡張する手法を説明する図９と同様である。すなわち、周波数については、標準規格で定めるビット数３２ビットを４０ビットに拡張し、外符号による誤り訂正方式については、図１０（２）に示すように、データが「００１１」のときにＦＥＣ外符号がＲＳ（２５５，２３９）であることを示す情報が含まれる。また、変調方式については、図１０（３）に示すように、変調方式がベースバンド、ＡＳＫ（周波数変換）、ＢＰＳＫ等であることを示す情報が含まれ、シンボルレートについては、標準規格で定めるビット数２８ビットを３６ビットに拡張する。
【００４９】
このように、新たな高速ケーブル分配システム記述子を含むＮＩＴ等のＰＳＩ／ＳＩは、図１に示した複数の多重化部１０によって読み出され、ＭＰＥＧ−２  ＴＳ信号毎にそれぞれ多重化され、後述する受信装置３へ伝送される。これにより、デジタル有線テレビジョン放送の信号では伝送できない１．２５Ｇｂｐｓの信号、１０Ｇｂｐｓを超える信号等を伝送することができる。
【００５０】
以上のように、実施例１の送信装置１によれば、多重化部１０が、ＭＰＥＧ−２  ＴＳ信号に、搬送波の仕様に関する物理伝送情報（シンボルレート（クロック速度）、変調方式、周波数、及び外符号による誤り訂正方式）の記述子を含むＮＩＴを多重化し、合成部１３が、変調部１２により６４ＱＡＭまたは２５６ＱＡＭで変調された信号を周波数分割多重して合成し、デジタル有線テレビジョン放送の信号を生成するようにした。また、ＴＤＭ信号生成部１４が、多重化部１０により多重化された複数の信号を時分割多重し、高速デジタルベースバンド信号を生成し、ＬＰＦ１６が、高速デジタルベースバンド信号を低域フィルタによるフィルタ処理を施して帯域を制限することにより、データを復調するために必要な帯域を含む低域周波数成分を抽出し、低域周波数成分の高速デジタルベースバンド信号を生成し、周波数変換部１７が、高速デジタルベースバンド信号とデジタル有線テレビジョン放送の信号との周波数が重ならないように、高速デジタルベースバンド信号の周波数を変換するようにした。そして、合成部２０が、合成部１３により合成されたデジタル有線テレビジョン放送の信号、及び周波数変換部１７により周波数変換された高速デジタルベースバンド信号を周波数分割多重して合成し、ＬＤ２１が、合成信号を１本の光ファイバーの伝送路４へ光信号として送信するようにした。
【００５１】
これにより、高速デジタルベースバンド信号とデジタル有線テレビジョン放送の信号の周波数が重なることがないため、信号による相互の干渉を回避することができる。また、波長分割多重を行うＷＤＭ伝送方式を用いないので、後述する受信装置３に波長選択フィルタの設置が不要になる。さらに、複数の光ファイバーを用いる必要がないことから、経済的な手段による伝送が可能となる。
【００５２】
また、送信装置１から伝送路４を介して送信された光信号を受信する後述の受信装置３は、光信号である合成信号からデジタル有線テレビジョン放送の信号及び高速デジタルベースバンド信号を分割し、ＭＰＥＧ−２  ＴＳ信号に多重化されたＰＳＩ／ＳＩを用いて、デジタル有線テレビジョン放送の信号及び高速デジタルベースバンド信号にて提供されるＭＰＥＧ−２  ＴＳ信号の選択及び再生を行うことができる。また、論理上のネットワークを区別して、それぞれのネットワークにおける全てのサービスの一覧を把握し、ＥＰＧ（電子番組ガイド）等にて画面表示することができる。
【００５３】
（実施例２）
次に、実施例２の送信装置について説明する。前述のとおり、実施例２は、デジタル有線テレビジョン放送の信号に用いる第１のＬＤ、及び高速デジタルベースバンド信号に用いる第２のＬＤにより、デジタル有線テレビジョン放送の信号に高速デジタルベースバンド信号を周波数分割多重して伝送する送信装置の例である。第１のＬＤ及び第２のＬＤは、これらの信号が干渉しないように配置される。
【００５４】
図２は、実施例２の送信装置の構成を示すブロック図である。この送信装置２は、複数の（Ｎ個の）多重化部１０、記憶部１１、複数の多重化部１０に対応する複数の（Ｎ個の）変調部１２、合成部１３、ＴＤＭ信号生成部１４、ＬＰＦ１６、周波数変換部１７、ＬＤ２２，２３及び光カプラー２４を備えている。ここで、Ｎは１以上の整数とする。
【００５５】
図１に示した実施例１の送信装置１と、図２に示す実施例２の送信装置２とを比較すると、両送信装置１，２は、複数の多重化部１０、記憶部１１、複数の変調部１２、合成部１３、ＴＤＭ信号生成部１４、ＬＰＦ１６及び周波数変換部１７を備えている点で同一である。一方、送信装置１は、合成部２０及びＬＤ２１を備えているのに対し、送信装置２は、合成部２０及びＬＤ２１の代わりにＬＤ２２，２３及び光カプラー２４を備えている点で相違する。図２において、図１と共通する部分には図１と同一の符号を付し、その詳しい説明は省略する。ＬＤ２２，２３は、電気信号を光信号に変換する変換器である。
【００５６】
ＬＤ２２は、電気信号を光信号に変換する変換器であり、合成部１３からデジタル有線テレビジョン放送の信号を入力し、ＬＤ２３により変換される光信号との間で波長が干渉しないように、レーザーダイオードを駆動して電気信号を光信号に変換し、デジタル有線テレビジョン放送の信号の光信号を光カプラー２４に出力する。ＬＤ２３は、ＬＤ２２と同様に電気信号を光信号に変換する変換器であり、周波数変換部１７から高速デジタルベースバンド信号を入力し、ＬＤ２２により変換される光信号との間で波長が干渉しないように、レーザーダイオードを駆動して電気信号を光信号に変換し、高速デジタルベースバンド信号の光信号を光カプラー２４に出力する。光カプラー２４は、ＬＤ２２からデジタル有線テレビジョン放送の信号の光信号を入力すると共に、ＬＤ２３から高速デジタルベースバンド信号の光信号を入力し、これらの光信号を合成し、合成した光信号を１本の光ファイバーの伝送路４へ送信する。このようにして合成された光信号において、デジタル有線テレビジョン放送の信号及び高速デジタルベースバンド信号は干渉することがない。合成された光信号は、送信装置２から伝送路４を介して、後述する受信装置３へ送信される。
【００５７】
以上のように、実施例２の送信装置２によれば、実施例１の送信装置１と同様の効果を奏する。すなわち、高速デジタルベースバンド信号とデジタル有線テレビジョン放送の信号の周波数が重なることがないため、信号による相互の干渉を回避することができる。また、波長分割多重を行うＷＤＭ伝送方式を用いないので、後述する受信装置３に波長選択フィルタの設置が不要になる。さらに、複数の光ファイバーを用いる必要がないことから、経済的な手段による伝送が可能となる。
【００５８】
尚、実施例１，２の送信装置１，２は、局部発振器１８及び乗算器１９を含む周波数変換部１７を備えるようにしたが、乗算器１９の代わりに変調器を備えるようにしてもよい。変調器は、所定のＢＰＳＫ等による２値変調方式にて高速デジタルベースバンド信号を変調し、デジタル有線テレビジョン放送の信号の周波数と重ならないように、信号の干渉を回避する。すなわち、局部発振器１８及び変調器を含む周波数変換部１７は、変調器によって、デジタル有線テレビジョン放送の信号が存在しない周波数帯域であって、デジタル有線テレビジョン放送の信号の周波数よりも高い周波数帯域に、高速デジタルベースバンド信号の周波数を配置する。変調器におけるＢＰＳＫ等による変調方式は、ＮＩＴに含まれる記述子の変調方式に対応して設定される。
【００５９】
また、実施例１，２の送信装置１，２は、局部発振器１８及び乗算器１９を含む周波数変換部１７を備えるようにしたが、局部発振器１８の代わりに逓倍器を備えるようにしてもよい。逓倍器は、高速デジタルベースバンド信号のクロック周波数を整数倍した搬送波を生成する。これにより、局部発振器１８を備える必要がないから、送信装置１，２内の発振器の数を減らすことができる。詳細については、特開平７−２２６７８２号公報を参照されたい。
【００６０】
〔受信装置〕
次に、本発明の実施形態による受信装置について説明する。以下に説明する受信装置は、前述の実施例１，２の送信装置１，２から、デジタル有線テレビジョン放送の信号及び高速デジタルベースバンド信号の合成信号を光信号として受信し、合成信号からデジタル有線テレビジョン放送の信号及び高速デジタルベースバンド信号を抽出し、元のデジタル有線テレビジョン放送の信号を再生すると共に、周波数変換された高速デジタルベースバンド信号の搬送波及びクロックを再生し、図３に示したステップＳ３０７の信号（スペクトラムは図４（３））に対応する高速デジタルベースバンド信号を再生する例である。
【００６１】
図５は、受信装置の構成を示すブロック図であり、図６は、受信装置の処理を示すフローチャートであり、図７は、図６に示すステップＳ６０７の高速デジタルベースバンド信号再生処理及びＴＳ選択処理の詳細を示すフローチャートであり、図８は、受信装置における信号のスペクトラムを示す図である。
【００６２】
この受信装置３は、ＰＤ（Photo Detector：光検出器）３０、分配器３１、ＬＰＦ３２、ケーブルテレビ受信機３３、ＴＤＭ信号再生部３４、デマルチプレクサ４３、デコーダー４４及び選択部４５を備えている。ＰＤ３０は、光信号を電気信号に変換する変換器である。
【００６３】
受信装置３が、送信装置１，２から光ファイバーの伝送路４を介して、デジタル有線テレビジョン放送の信号及び高速デジタルベースバンド信号の合成信号を光信号として受信すると（ステップＳ６０１）、ＰＤ３０は、光信号を電気信号に変換し、電気信号を分配器３１に出力する（ステップＳ６０２）。分配器３１は、ＰＤ３０から電気信号を入力し、電気信号を２分配し、ＬＰＦ３２及びＴＤＭ信号再生部３４に出力する。受信装置３が受信する合成信号は、図８（１）に示すように、伝送帯域が９０〜７７０ＭＨｚのデジタル有線テレビジョン放送の信号と、中心周波数ｆconvの高速デジタルベースバンド信号とが周波数分割多重された信号であり、図４（４）に示した信号と同様である。
【００６４】
ＬＰＦ３２は、分配器３１から電気信号を入力し、図８（１）に示すように、低域フィルタによるフィルタ処理を施して帯域を制限することにより（ステップＳ６０３）、デジタル有線テレビジョン放送の信号を抽出し、デジタル有線テレビジョン放送の信号をケーブルテレビ受信機３３に出力する（ステップＳ６０４）。ＬＰＦ３２により出力されケーブルテレビ受信機３３に入力されるデジタル有線テレビジョン放送の信号は、図８（２）に示すように、伝送帯域が９０〜７７０ＭＨｚのデジタルケーブルテレビの信号であり、図４（１）に示した信号と同様である。このように、送信装置１，２から受信した合成信号をＬＰＦ３２に通過させることにより、デジタル有線テレビジョン放送の信号を得ることができる。
【００６５】
ケーブルテレビ受信機３３は、ＬＰＦ３２からデジタル有線テレビジョン放送の信号を入力し、デジタル有線テレビジョン放送の信号から任意のＭＰＥＧ−２  ＴＳ信号を抽出するために、図１及び図２に示した変調部１２に対応した所定の周波数の信号を分離し、分離した信号を、図１及び図２に示した変調部１２に対応した所定の方式にて復調する。そして、ケーブルテレビ受信機３３は、このような分離及び復調処理により任意のＭＰＥＧ−２  ＴＳ信号を抽出し、このＭＰＥＧ−２  ＴＳ信号に多重化されたＰＳＩ／ＳＩで示される情報を読み出して（ステップＳ６０５）、選択部４５に出力する。この場合、ケーブルテレビ受信機３３は、ＰＳＩ／ＳＩから、全てのＭＰＥＧ−２  ＴＳ信号に関する物理伝送情報を取得する。例えば、ケーブルテレビ受信機３３は、ＳＩに含まれるＮＩＴの各記述子の情報について、記述子に含まれる識別タグに基づいて、記述子の種類を特定し、特定したケーブル分配システム記述子または高速ケーブル分配システム記述子から、シンボルレート、変調方式、周波数、及び外符号による誤り訂正方式等の情報を取得する。
【００６６】
ケーブルテレビ受信機３３は、選択部４５から、複数のＭＰＥＧ−２  ＴＳ信号のうちの１チャンネルのＭＰＥＧ−２  ＴＳ信号を選択するための制御信号Ａを入力し、デジタル有線テレビジョン放送の信号を、図１及び図２に示した変調部１２に対応して、制御信号Ａが示す１チャンネルのＭＰＥＧ−２  ＴＳ信号における所定の周波数（ＰＳＩのＮＩＴに含まれるケーブル分配システム記述子または高速ケーブル分配システム記述子から取得した周波数）の信号を分離し、分離した信号を、図１及び図２に示した変調部１２に対応して、制御信号Ａが示す１チャンネルのＭＰＥＧ−２  ＴＳ信号における所定の方式（ＳＩのＮＩＴに含まれるケーブル分配システム記述子または高速ケーブル分配システム記述子から取得した変調方式）にて復調し、制御信号Ａが示す１チャンネルのＭＰＥＧ−２  ＴＳ信号を生成し、１チャンネルのＭＰＥＧ−２  ＴＳ信号をデコーダー４４に出力する（ステップＳ６０６）。
【００６７】
ＴＤＭ信号再生部３４は、分配器３１から電気信号を入力し、後述するＨＰＦ３６によるフィルタ処理を施した後の信号の搬送波及びクロックを再生し、周波数変換して元の高速デジタルベースバンド信号であるＴＤＭ信号を再生することで複数のＭＰＥＧ−２  ＴＳ信号からなる１つのストリームを生成する。そして、ＴＤＭ信号再生部３４は、この１つのストリームから任意のＭＰＥＧ−２  ＴＳ信号を抽出してＰＳＩ／ＳＩを読み出し、ＰＳＩ／ＳＩを選択部４５に出力し、１つのストリームをデマルチプレクサ４３に出力する（ステップＳ６０７）。
【００６８】
デマルチプレクサ４３は、ＴＤＭ信号再生部３４から１つのストリームを入力し、このストリームを、図１及び図２に示したＴＤＭ信号生成部１４のマルチプレクサ１５に対応して時分割に分離し、選択部４５から入力した制御信号Ａに基づいて、制御信号Ａが示す１チャンネルのＭＰＥＧ−２  ＴＳ信号を選択してデコーダー４４に出力する（ステップＳ６０７）。
【００６９】
ＴＤＭ信号再生部３４及びデマルチプレクサ４３による高速デジタルベースバンド信号再生処理及びＴＳ選択処理（ステップＳ６０７）について詳細に説明する。図５を参照して、ＴＤＭ信号再生部３４は、スイッチ３５、ＨＰＦ３６、搬送波再生部３７、乗算器３８、ＬＰＦ３９、クロック再生部４０、識別回路４１及びＰＳＩ／ＳＩ読み出し部４２を備えている。スイッチ３５の接点は、予めＡ側及びＢ側に切り替えられているものとする。
【００７０】
ＨＰＦ３６は、分配器３１からスイッチ３５を介して電気信号を入力し、図８（１）に示すように、高域フィルタによるフィルタ処理を施して帯域を制限することにより（ステップＳ７０１）、周波数変換された高速デジタルベースバンド信号を抽出し、フィルタ後の信号を搬送波再生部３７及び乗算器３８に出力する（ステップＳ７０２）。ＨＰＦ３６により出力される信号は、図８（３）に示すように、中心周波数ｆconvの周波数変換された高速デジタルベースバンド信号である。このように、送信装置１，２から受信した合成信号をＨＰＦ３６に通過させることにより、周波数変換された高速デジタルベースバンド信号を分離することができる。
【００７１】
搬送波再生部３７は、ＨＰＦ３６からフィルタ後の信号を入力し、搬送波を再生し、搬送波を乗算器３８に出力する（ステップＳ７０３）。搬送波再生部３７により再生される搬送波は、図８（４）に示すように、周波数ｆconvの信号である。
【００７２】
乗算器３８は、ＨＰＦ３６からフィルタ後の周波数変換された高速デジタルベースバンド信号を入力すると共に、搬送波再生部３７から搬送波を入力し、周波数変換された高速デジタルベースバンド信号に搬送波の信号を乗算して低域周波数成分の周波数に変換し、低域周波数成分に変換した高速デジタルベースバンド信号を、スイッチ３５を介してクロック再生部４０及び識別回路４１に出力する（ステップＳ７０４）。搬送波再生部３７及び乗算器３８は、図１及び図２に示した周波数変換部１７（局部発振器１８及び乗算器１９）に対応する。また、乗算器３８における方式は、ＡＳＫ（周波数変換）に対応した方式であり、ＮＩＴに含まれる記述子の変調方式に対応している。
【００７３】
クロック再生部４０は、ＬＰＦ３９からスイッチ３５を介して、高速デジタルベースバンド信号を入力し、高速デジタルベースバンド信号から、識別回路４１にて高速デジタルベースバンド信号のデータを識別するためのクロックを再生し、再生したクロックを識別回路４１及びＰＳＩ／ＳＩ読み出し部４２に出力する（ステップＳ７０５）。クロック再生部４０は、例えば、ゼロクロス法により、高速デジタルベースバンド信号のシンボルのジッタ量を評価する尤度関数を用いて、この尤度関数の出力が最小になるように、ＰＬＬ（Phase Locked Loop）回路等にてクロックを再生する。尚、ゼロクロス法は既知であるから、ここでは詳細な説明を省略する。詳細については、“三瓶政一、「デジタルワイヤレス伝送技術」、２００２年、ピアソン・エデュケーション”を参照されたい。
【００７４】
一般に、搬送波再生部３７により再生される搬送波の発振周波数が高速デジタルベースバンド信号の中心周波数ｆconv付近であれば、搬送波の周波数及び位相が完全に同期再生されていない段階であっても、クロック再生部４０は、受信信号のシンボルと同期したクロックを再生することができる。
【００７５】
識別回路４１は、ＬＰＦ３９からスイッチ３５を介して、高速デジタルベースバンド信号を入力すると共に、クロック再生部４０からクロックを入力し、クロックに基づいて、アナログの高速デジタルベースバンド信号からデジタルの高速デジタルベースバンド信号としてのデータを識別し、高速デジタルベースバンド信号である複数のＭＰＥＧ−２  ＴＳ信号からなる１つのストリームを再生してＰＳＩ／ＳＩ読み出し部４２に出力する（ステップＳ７０６）。具体的には、識別回路４１は、クロックに基づいて、入力した高速デジタルベースバンド信号から得られるアイパターンにより、シンボルを区別して符号列のデータを識別し、高速デジタルベースバンド信号を再生する。識別回路４１により出力される高速デジタルベースバンド信号は、図８（５）に示すように、図１及び図２に示したＬＰＦ１６が出力する高速デジタルベースバンド信号に対応する信号であり、図４（３）に示した高速デジタルベースバンド信号と同様である。
【００７６】
ＰＳＩ／ＳＩ読み出し部４２は、識別回路４１から高速デジタルベースバンド信号である、複数のＭＰＥＧ−２  ＴＳ信号からなる１つのストリームを入力すると共に、クロック再生部４０からクロックを入力し、任意のＭＰＥＧ−２  ＴＳ信号を識別して、このＭＰＥＧ−２  ＴＳ信号からＰＳＩ／ＳＩを読み出す（ステップＳ７０７）。例えば、受信装置３が前述のＴＳＭＦ形式のフレームを高速ベースバンド信号として受信、再生した場合には、ＰＳＩ／ＳＩ読み出し部４２は、複数のＭＰＥＧ−２  ＴＳ信号のスロット配置を示すヘッダー情報に基づいて、ＴＳＭＦ形式のフレームから任意のＭＰＥＧ−２  ＴＳ信号を識別して、このＭＰＥＧ−２  ＴＳ信号からＰＳＩ／ＳＩを読み出す。これにより、ＴＤＭ信号再生部３４は、ＰＳＩ／ＳＩ読み出し部４２が読み出したＰＳＩ／ＳＩから、全てのＭＰＥＧ−２  ＴＳ信号に関する物理伝送情報を取得することができる。例えば、ＴＤＭ信号再生部３４は、ＳＩのうち、ＮＩＴに含まれる記述子の情報について、記述子に含まれる識別タグに基づいて記述子の種類を特定し、特定したケーブル分配システム記述子または高速ケーブル分配システム記述子から、シンボルレート、変調方式、周波数、及び外符号による誤り訂正方式等の情報を取得する。
【００７７】
そして、ＰＳＩ／ＳＩ読み出し部４２は、読み出したＰＳＩ／ＳＩを選択部４５に出力すると共に、複数のＭＰＥＧ−２  ＴＳ信号からなるストリームをデマルチプレクサ４３に出力する。
【００７８】
デマルチプレクサ４３は、ＰＳＩ／ＳＩ読み出し部４２からストリームを入力し、図１及び図２に示したＴＤＭ信号生成部１４のマルチプレクサ１５に対応して、ストリームに含まれる複数のＭＰＥＧ−２  ＴＳ信号を識別し、選択部４５から入力した制御信号Ａに基づいて、制御信号Ａが示す１チャンネルのＭＰＥＧ−２  ＴＳ信号を選択し、１チャンネルのＭＰＥＧ−２  ＴＳ信号をデコーダー４４に出力する（ステップＳ７０８）。例えば、デマルチプレクサ４３は、受信装置３が前述のＴＳＭＦ形式のフレームを高速ベースバンド信号として受信、再生した場合には、フレームの先頭に配置されたヘッダー情報に基づいて、ストリームに含まれる複数のＭＰＥＧ−２  ＴＳ信号を識別し、制御信号Ａが示す１チャンネルのＭＰＥＧ−２  ＴＳ信号を選択する。
【００７９】
選択部４５は、ケーブルテレビ受信機３３及び／またはＰＳＩ／ＳＩ読み出し部４２により読み出されたＰＳＩ／ＳＩを入力し、ＰＳＩ／ＳＩから、論理上のネットワークに属する全てのＭＰＥＧ−２  ＴＳ信号に関する情報及び選局するための物理伝送情報を得て、これらの情報をサービスの利用者へ提示する。
【００８０】
選択部４５は、サービスの利用者による例えばリモコンの操作に従い、ＦＤＭ系の全てのＭＰＥＧ−２  ＴＳ信号及びＴＤＭ系の全てのＭＰＥＧ−２  ＴＳ信号のうち１チャンネルのＭＰＥＧ−２  ＴＳ信号を選択するための制御信号Ａを生成し、制御信号Ａをケーブルテレビ受信機３３及びデマルチプレクサ４３に出力する。また、選択部４５は、サービスの利用者による例えばリモコンの操作に従い、制御信号Ａにて選択されるＦＤＭ系における１チャンネルのＭＰＥＧ−２  ＴＳ信号またはＴＤＭ系における１チャンネルのＭＰＥＧ−２  ＴＳ信号のうちの一方の信号を選択し、また、選択した１チャンネルのＭＰＥＧ−２  ＴＳ信号に多重化されている複数のサービス信号のうち１つまたは複数のサービス信号（映像信号、音声信号、データ）を選択するための制御信号Ｂを生成し、制御信号Ｂをデコーダー４４に出力する。
【００８１】
デコーダー４４は、ケーブルテレビ受信機３３からＦＤＭ系における１チャンネルのＭＰＥＧ−２  ＴＳ信号を入力し、デマルチプレクサ４３からＴＤＭ系における１チャンネルのＭＰＥＧ−２  ＴＳ信号を入力し、選択部４５から制御信号Ｂを入力する。そして、デコーダー４４は、制御信号Ｂに基づいて、ＦＤＭ系における１チャンネルのＭＰＥＧ−２  ＴＳ信号またはＴＤＭ系における１チャンネルのＭＰＥＧ−２  ＴＳ信号のいずれかの信号を選択し、選択した１チャンネルのＭＰＥＧ−２  ＴＳ信号に多重化されたサービス信号を選択し（ステップＳ６０８）、選択したサービス信号を復号して出力する（ステップＳ６０９）。
【００８２】
このように、選択部４５が、制御信号Ａによりケーブルテレビ受信機３３及びＴＤＭ信号再生部３４を制御することで、受信装置３は、ネットワーク（地上放送、衛星放送、ケーブルテレビ）を切り替えることができ、ＭＰＥＧ−２  ＴＳ信号の選択を行うことができる。また、選択部４５が、制御信号Ｂによりデコーダー４４を制御することで、受信装置３は、ＭＰＥＧ−２  ＴＳ信号に多重されているサービス信号を選択することができる。
【００８３】
以上、スイッチ３５の接点は予めＡ側及びＢ側に切り替えられているものとして説明した。これに対し、受信装置３が、複数のＭＰＥＧ−２  ＴＳ信号が時分割多重された高速デジタルベースバンド信号であって、周波数変換または変調されていない高速デジタルベースバンド信号のみを送信装置１，２から直接受信する場合には、スイッチ３５の接点を予めＡ’側及びＢ’側に切り替えておく。この場合、クロック再生部４０及び識別回路４１は、周波数変換または変調されていない高速デジタルベースバンド信号を入力するから、受信装置３において、ＨＰＦ３６、搬送波再生部３７、乗算器３８及びＬＰＦ３９は不要となる。
【００８４】
以上のように、受信装置３によれば、実施例１，２の送信装置１，２からの合成信号を受信し、ＬＰＦ３２が、低域フィルタによるフィルタ処理を施して帯域を制限することにより、デジタル有線テレビジョン放送の信号を抽出し、ケーブルテレビ受信機３３が、デジタル有線テレビジョン放送の信号から所定の周波数の信号を分離して所定の方式にて復調し、ＭＰＥＧ−２  ＴＳ信号に多重化されたＰＳＩ／ＳＩを読み出し、選択部４５からの制御信号Ａが示す１チャンネルのＭＰＥＧ−２  ＴＳ信号を復調して選択するようにした。また、ＴＤＭ信号再生部３４が、合成信号に対し、高域フィルタによるフィルタ処理を施して帯域を制限することにより、周波数変換された高速デジタルベースバンド信号を抽出し、搬送波及びクロックを再生し、周波数変換または変調して元の高速デジタルベースバンド信号であるＴＤＭ信号を再生することで１つのストリームを生成し、このストリームからＰＳＩ／ＳＩを読み出すようにした。そして、デマルチプレクサ４３が、ストリームを時分割に分離し、選択部４５からの制御信号Ａが示す１チャンネルのＭＰＥＧ−２  ＴＳ信号を選択するようにした。そして、デコーダー４４が、選択部４５からの制御信号Ｂに基づいて、ＦＤＭ系のＭＰＥＧ−２  ＴＳ信号またはＴＤＭ系のＭＰＥＧ−２  ＴＳ信号を選択し、選択したＭＰＥＧ−２  ＴＳ信号に多重化されたサービス信号を選択して出力するようにした。
【００８５】
これにより、受信装置３が受信する合成信号における高速デジタルベースバンド信号及びデジタル有線テレビジョン放送の信号の周波数が重なることがないため、信号による相互の干渉を回避することができる。また、波長分割多重を行うＷＤＭ伝送方式を用いないので、受信装置３に波長選択フィルタの設置が不要になる。さらに、複数の光ファイバーを用いる必要がないことから、経済的な手段による伝送が可能となる。
【００８６】
尚、受信装置３は、高速デジタルベースバンド信号を再生するために、周波数変換する搬送波を再生する搬送波再生部３７及び乗算器３８を備えるようにしたが、実施例１，２の送信装置１，２が、周波数変換部１７において乗算器１９の代わりに変調器を備え、デジタル有線テレビジョン放送の信号及び変調した高速デジタルベースバンド信号の合成信号を送信する場合には、乗算器３８の代わりに復調器を備えるようにしてもよい。復調器は、送信装置１，２の変調器に対応した方式、すなわちＳＩのＮＩＴに含まれる記述子に示される変調方式に対応して、高速デジタルベースバンド信号を復調する。
【００８７】
また、実施例１，２の送信装置１，２が周波数変換部１７の局部発振器１８の代わりに逓倍器を備え、周波数変換部１７が高速デジタルベースバンド信号のクロック周波数を整数倍した搬送波を用いて周波数変換した場合には、受信装置３は、搬送波再生部３７の代わりに逓倍器を備えればよい。この場合、逓倍器は、クロック再生部４０により再生したクロックの周波数を逓倍し、搬送波を再生することができる。これにより、受信装置３は搬送波再生部３７を備える必要がないから、受信装置３内の発振器の数を減らすことができる。尚、識別回路４１は、入力する高速デジタルベースバンド信号について、その検波出力のアイパターンの開口が最大になるように、再生した搬送波の位相を調整すると共に、シンボルレートのクロックの位相を調整し、最適なタイミングでシンボルを識別する必要がある。
【００８８】
以上、実施例１，２の送信装置１，２及び受信装置３について説明したが、本発明の実施形態は、既存のデジタル有線テレビジョン放送に加えて新たなサービスを提供するために、高速デジタルベースバンド信号を利用する場合に適用があり、経済的に新たなサービスを導入することが可能になる。デジタル有線テレビジョン放送の利用者は、電子番組ガイド等により、新たなサービス開始に関する情報を得て、利用者の意思に基づき、任意のタイミングで、新たなサービスを享受するための受信装置３を設置することができる。
【００８９】
また、本発明の実施形態は、既存のデジタル有線テレビジョン放送の信号によるＦＤＭ伝送方式のシステムが提供している全てのサービスのＭＰＥＧ−２  ＴＳ信号を、高速デジタルベースバンド信号によるＴＤＭ伝送方式のシステムによって同時に伝送することができる。これにより、ＦＤＭ伝送方式のシステムからＴＤＭ伝送方式のシステムへ移行する計画がある場合にも適用することができ、新旧２つのシステムを同一サービスエリアで併用することが可能となる。さらに、受信装置３は、デジタル有線テレビジョン放送の信号によるＦＤＭ伝送方式のシステムが提供するサービスの停止後に、高速デジタルベースバンド信号によるＴＤＭ伝送方式のシステムを受信手段として利用することができる。したがって、実施例１，２の送信装置１，２及び受信装置３を用いることにより、システム運用者は、サービス利用者への説明及び工事作業をはじめとする人的負荷を大幅に軽減することができる。
【符号の説明】
【００９０】
１，２  送信装置
３  受信装置
４  伝送路
１０  多重化部
１１  記憶部
１２  変調部
１３，２０  合成部
１４  ＴＤＭ信号生成部
１５  マルチプレクサ
１６，３２，３９  ＬＰＦ
１７  周波数変換部
１８  局部発振器
１９，３８  乗算器
２１，２２，２３  ＬＤ
２４  光カプラー
３０  ＰＤ
３１  分配器
３３  ケーブルテレビ受信機
３４  ＴＤＭ信号再生部
３５  スイッチ
３６  ＨＰＦ
３７  搬送波再生部
４０  クロック再生部
４１  識別回路
４２  ＰＳＩ／ＳＩ読み出し部
４３  デマルチプレクサ
４４  デコーダー
４５  選択部
【図１】
0005778591.tif 000002
【図２】
0005778591.tif 000003
【図３】
0005778591.tif 000004
【図４】
0005778591.tif 000005
【図５】
0005778591.tif 000006
【図６】
0005778591.tif 000007
【図７】
0005778591.tif 000008
【図８】
0005778591.tif 000009
【図９】
0005778591.tif 000010
【図１０】
0005778591.tif 000011